(57)【要約】【課題】ワンセグチューナーを内蔵し音声だけでなく映像も再生することができ、携帯性に優れたヘッドホンを提供する。【解決手段】左右一対のヘッドホンケースを備え、いずれかのヘッドホンケースは、電波を受信するアンテナ、選択スイッチによって指定される周波数を前記アンテナが受信した電波から検波して音声信号と映像信号を出力するチューナー、チューナーが出力する映像信号を映像再生機器に出力する映像出力端子、電池、上記チューナーが検出する電波の周波数を指定する選択スイッチを備え、左右のヘッドホンケースは、チューナーが出力する音声信号を再生するヘッドホンスピーカを備え、左右のヘッドホンケースは、双方に備えられている電気部品を電気的に接続する配線を有するヘッドバンドによって結合され、チューナーが、ワンセグチューナーであることを特徴とするヘッドホンによる。【選択図】図２
2009065423.tif 000002
【特許請求の範囲】
【請求項１】
左右一対のヘッドホンケースを備え、
いずれかのヘッドホンケースは、電波を受信するアンテナ、選択スイッチによって指定される周波数を前記アンテナが受信した電波から検波して音声信号と映像信号を出力するチューナー、チューナーが出力する映像信号を映像再生機器に出力する映像出力端子、電池、上記チューナーが検出する電波の周波数を指定する選択スイッチを備え、
上記左右のヘッドホンケースは、上記チューナーが出力する音声信号を再生するヘッドホンスピーカを備え、
上記左右のヘッドホンケースは、双方に備えられている電気部品を電気的に接続する配線を有するヘッドバンドによって結合され、
上記チューナーが、ワンセグチューナーであることを特徴とするヘッドホン。
【請求項２】
上記映像出力端子に接続され、上記映像信号を再生する小型のヘッドマウントディスプレイをさらに備えることを特徴とする請求項１記載のヘッドホン。
【請求項３】
上記ヘッドマウントディスプレイが着脱可能であることを特徴とする請求項２記載のヘッドホン。
【請求項４】
上記ヘッドマウントディスプレイが、上記映像出力端子において回転自在に装着されていることを特徴とする請求項２または請求項３に記載のヘッドホン。
【請求項５】
上記映像出力端子がＵＳＢコネクタであることを特徴とする請求項１乃至４のいずれかに記載のヘッドホン。
【請求項６】
上記映像出力端子が携帯電話インターフェースであることを特徴とする請求項１乃至４のいずれかに記載のヘッドホン。
【請求項７】
上記選択スイッチが、リモコンによって遠隔操作可能であることを特徴とする請求項１乃至６のいずれかに記載のヘッドホン。
【請求項８】
上記リモコンは、赤外線または電波によって操作をするものであることを特徴とする請求項７記載のヘッドホン。
【請求項９】
上記リモコンは、リストバンド型であることを特徴とする請求項７、８に記載のヘッドホン。
【発明の詳細な説明】
【技術分野】
【０００１】
本発明は、ワンセグチューナーを内蔵し音声だけでなく映像も再生することができ、携帯性に優れたヘッドホンに関するものである。
【背景技術】
【０００２】
従来からヘッドホンにラジオチューナーを内蔵したチューナー付ヘッドホンが知られている。また、テレビチューナーを内蔵し携帯可能な携帯型音楽プレーヤーやテレビチューナーを内蔵したパソコン、テレビチューナー内蔵携帯電話等の種々の機器が知られている。また、映像を視聴可能な携帯機器として小型のディスプイをヘッドセットに搭載したいわゆるヘッドマウントディスプレイが知られている（例えば特許文献１参照）。
【０００３】
【特許文献１】特開２００２−２１８３５５号公報
【０００４】
上記のヘッドマウントディスプレイは、テレビチューナーを内蔵せず、外部の映像機器と接続して映像を視聴する。このため、利用時には映像機器を準備する必要があり、この映像機器の重量や電源によって利用環境が制限されることになる。また、ヘッドマウントディスプレイの動作に必要な電源は、電池のみでは足りず商用電源を用いることになる。従ってヘッドマウントディスプレイを使用して携帯型音楽プレーヤーを用いた映像等の視聴を、手軽に（例えば屋外で）利用することは困難である。
【０００５】
また、仮に、上記のヘッドマウントディスプレイにテレビチューナーを内蔵させる場合、その携帯性はさらに劣化する。すなわち、地上波放送用のテレビチューナーは、受信のために大きなアンテナが必要であり、アンテナを用いることなくテレビ放送を視聴すると映像・音声共に雑音が多く、質の良い視聴環境を得ることはできない。また、視聴環境を整えるためにアンテナを携帯することは、その大きさから現実的ではない。
【０００６】
一方、携帯電話や携帯型音楽プレーヤーなどにワンセグ放送用チューナーを組み込むことで、屋外でも高品質なテレビ放送を手軽に楽しむことができる機器が知られている。このような機器を用いてテレビ放送を視聴する場合、内蔵スピーカーを用いると、周囲音との関係でテレビ放送の音声が聞き取りにくく、また、周囲音以上の音量にすると周囲への騒音となり迷惑となるのでヘッドホンの使用が必須となる。そうすると、当該機器の他にヘッドホンを携帯し、使用時には当該機器とヘッドホンとを接続する必要があるので携帯性や利便性がよくないものとなる。
【発明の開示】
【発明が解決しようとする課題】
【０００７】
本発明は、上記の課題を鑑みてなされたものであって、ヘッドホンユニットにワンセグチューナーを内蔵し、電池で駆動することができ、外部アンテナを用いることなく高音質なテレビ放送を視聴することができる携帯性に優れたヘッドホンを提供することを目的とする。
【課題を解決するための手段】
【０００８】
本発明は、左右一対のヘッドホンケースを備え、いずれかのヘッドホンケースは、電波を受信するアンテナ、選択スイッチによって指定される周波数を前記アンテナが受信した電波から検波して音声信号と映像信号を出力するチューナー、チューナーが出力する映像信号を映像再生機器に出力する映像出力端子、電池、上記チューナーが検出する電波の周波数を指定する選択スイッチを備え、上記左右のヘッドホンケースは、上記チューナーが出力する音声信号を再生するヘッドホンスピーカを備え、上記左右のヘッドホンケースは、双方に備えられている電気部品を電気的に接続する配線を有するヘッドバンドによって結合され、上記チューナーが、ワンセグチューナーであることを最も主要な特徴とする。
【発明の効果】
【０００９】
本発明によれば、電池駆動が可能で小型のアンテナでも良好な受信状態を確保できるワンセグチューナーを視聴用ヘッドホンの筐体に組み込むことで、移動中も良好な受信感度をえることができるヘッドホンを得ることができる。
【発明を実施するための最良の形態】
【００１０】
以下、本発明にかかるヘッドホンの実施形態について、図を用いて説明する。図１は本発明に係るヘッドホンの例を示す一部断面外観図である。ヘッドバンド７によって結合されている左右一対のヘッドホンケース１を有し、一方のヘッドケース１の内部には、当該ヘッドホンの動作制御を行なうＣＰＵを搭載するシステム基板１３と、楽音などを出力するヘッドホンスピーカ１２を備えており、もう一方のヘッドホンケース１には、当該ヘッドホンの駆動電源となる電池５、利用者が視聴する放送局を選択する選局ボタン１０、外部電源コネクタ１４などを搭載する電源基板１５と、楽音などを出力するヘッドホンスピーカ１２を備えている。
【００１１】
システム基板１３と、電源基板１５はヘッドバンド７の内部に埋設されている配線８を介して電気的に接続している。この配線８によって、電源基板１５からシステム基板１３に必要な駆動電圧が伝達され、システム基板１３によって処理された再生信号が電源基板１５に伝達されてヘッドホンスピーカ１２から出力される。
【００１２】
システム基板１３には、ワンセグチューナー２、ワンセグチューナー２に接続されている内蔵アンテナ３、ヘッドホンスピーカ１２、ヘッドホンスピーカ１２による出力レベルを調整する回転ダイヤルであってヘッドホンケース１の外壁からその一部が突出するように設置されているボリューム９、ワンセグチューナー２においてデコードされた映像信号を外部に出力するための端子であってヘッドホンケースの外壁に設置されている映像出力端子６が接続されている。電源基板１５には、駆動電源となる電池５、視聴する放送局を選択するための回転ダイヤルもしくはボタンであってヘッドホンケース１の外壁からその一部が突出して操作可能な形態で設置されている選局ボタン１０、ヘッドホンスピーカ１２、電源アダプタを介して商用電源を駆動電源とするための接続端子であって、ヘッドホンケース１の外壁に結合部が設置されている外部電源コネクタ１４が接続されている。
【００１３】
図１において、図示しない電源スイッチが投入され、選局ボタン１０によってワンセグチューナー２における受信周波数が設定されると、ボリューム９によって調整された音量で左右のヘッドホンスピーカ１２から楽音などが出力される。
【００１４】
図２は上記システム基板１３及び電源基板１５の機能ブロック図である。図２（ａ）において、システム基板１３は、内蔵アンテナ３（図１参照）のインターフェースとなるアンテナ部１０１と、アンテナ部１０１を介して入力される受信電波から選局ボタン１０（図１参照）によって指定された放送局に該当する周波数を検波し音声信号及び映像信号を検出して、これら音声信号と映像信号を所定の方式で復号化するデコーダを搭載したワンセグチューナー部１０２と、ワンセグチューナー部１０２を制御するＣＰＵ１０３と、ワンセグチューナー部１０２においてデコードされたデジタル信号をヘッドホンスピーカ１２において出力可能なアナログ信号に変換するＤ／Ａコンバータ１０４と、ヘッドホンアンプ１０５とを有する。また、ワンセグチューナー部１０２は、復号化した映像信号を外部に出力する映像出力端子６に接続されている。
【００１５】
映像出力端子６は、例えば、コンポジット端子である。しかし、本発明にかかるヘッドホンの映像出力端子はこれに限ることはなく、例えば、システム基板１３と映像出力端子６との間に図示しないＵＳＢ変換回路を介して、映像出力端子６をＵＳＢ端子としてもよい。また、システム基板１３と映像出力端子６との間に、図示しない携帯電話インターフェース変換回路を介して、映像出力端子６を携帯電話端子としてもよい。
【００１６】
また、コンポジット端子である映像出力端子６に、図示しないＵＳＢ変換器を接続してＵＳＢ端子を設けてもよい。同様にコンポジット端子である映像出力端子６に、図示しない携帯電話インターフェース変換器を接続して、携帯電話インターフェースを設けてもよい。
【００１７】
図２（ｂ）において電源基板１５は、電池５（図１参照）を必要な電圧に変換するＤＣ−ＤＣコンバータ１０６と、電圧を一定に保つレギュレータ１０７とを有する。システム基板１３と電源基板１５を左右のヘッドホンケース１にそれぞれ分けて収納することにより、左右の重量バランスを保って利便性を高めるとともに、信号処理を行なうシステム基板１３に電源ノイズが侵入することを防止し、電源ノイズの影響で受信感度や出力の品質が劣化することを防止することができる。
【００１８】
上記のようにヘッドホンケース１にワンセグチューナー２を内蔵し、駆動電源として電池５を用いることによって、他の機器への接続をすることなく、高音質のデジタル放送を受信することができ、また、必要に応じて映像を外部に出力することができるワンセグパーソナルヘッドホンを得ることができる。
【００１９】
次に本発明にかかるヘッドホンの別の実施例について図３の一部断面外観図を用いて説明する。既に説明した図１におけるヘッドホン１と同じ構成部分については、詳細な説明は省略する。図３において映像出力端子６には、先端に小型のヘッドマウントディスプレイ１６を備えたヘッドマウンディスプレイアーム１７を装着することでき、これによって、ワンセグチューナー２にて受信したテレビ放送を視聴することができる。ヘッドマウントディスプレイ１６は、例えば液晶のディスプレイである。ヘッドマウンディスプレイアーム１７は映像出力端子６に、回転機構１８を介して着脱可能に嵌合されており、これによって、ヘッドマウントアーム１７と一体になっているヘッドマウントディスプレイ１６は、上下方向に回転自在に固定されることとなる。映像の視聴をしないときは、ヘッドマウントディスプレイアーム１７を上方向に回転させ、利用者の視界を遮ることを防止することもできる。
【００２０】
また、ヘッドマウントディスプレイアーム１６の先端部分を映像入力プラグに変更し、実施例に示したヘッドホンケース１の映像出力端子６をその先端部分に設けても良い。
【００２１】
上記のように、ヘッドホンの筐体にワンセグチューナーを内蔵することで、接続コードを気にすることなく、屋外や社内に限らず家庭内のどこでも気軽に高音質のワンセグテレビ放送またはデジタルラジオ放送を視聴することができる。
【００２２】
また、上記システム基板１３に、図示しないリモートコントロール（リモコン）ユニットを搭載し、利用者は図示しないリモコン操作ユニットを操作することによって、選局ボタン１０、ボリューム９の操作を遠隔でおこなうことができるようにしてもよい。
【００２３】
さらに上記のリモコン操作ユニットは、利用者が携帯容易なリストバンド型であってもよい。
【００２４】
上記のとおり、チューナーにワンセグチューナーを用いることで、従来のアナログチューナーでは大きさや消費電力が大きすぎてヘッドホンケースに内蔵することができず、また、アンテナが大きく携帯に不向きであったものが、容易に携帯できる程度に小型化、軽量化することが可能となった。また、消費電力も軽減することができるので、電池駆動にすることができ、オールインワンにすることによって、他の機器に接続することなく、移動中や家庭内の好みの場所で手軽にテレビ放送を視聴することができるヘッドホンを得ることができる。
【００２５】
また、従来のアナログチューナーは移動速度に応じて受信感度が落ちるため、移動体にアナログチューナーを内蔵すると安定したテレビ放送を視聴することは困難であったが、ワンセグチューナーを内蔵することにより移動速度が速くても安定してテレビ放送を視聴することができるヘッドホンを得ることができる。
【図面の簡単な説明】
【００２６】
【図１】本発明に係るワンセグパーソナルヘッドホンの実施例を示す一部断面外観図である。
【図２】上記ワンセグパーソナルヘッドホンが備える回路の例を示すブロック図である。
【図３】本発明に係るワンセグパーソナルヘッドホンの別の実施例を示す一部断面外観図である。
【符号の説明】
【００２７】
１  ヘッドホンケース
２  ワンセグチューナー３
３  内蔵アンテナ
５  電池
６  映像出力端子
１２  ヘッドホンスピーカ
１６  ヘッドマウントディスプレイ
【図１】
2009065423.tif 000003
【図２】
2009065423.tif 000004
【図３】
2009065423.tif 000005